(57)【要約】【課題】  少ない種類の部材で組み立てを行なうことができてコストを低減することができると共に、天井面パネルや床面パネルを小さくして組み立てが容易になる温冷配膳車の保温保冷箱を提供する。【解決手段】  保温用側面パネル２と、保冷用側面パネル４と、仕切棚７と、天井面パネル８と、床面パネル９と、側面パネル接続ステー１０とを備える。保温用側面パネル２と保冷用側面パネル４の間を仕切るように仕切棚７を配置し、保温用側面パネル２と仕切棚７と保冷用側面パネル４の上端間に天井面パネル８を取り付けると共に保温用側面パネル２と仕切棚７と保冷用側面パネル４の下端間に床面パネル８を取り付けることによって、保温室１１と保冷室１２を形成した保温保冷ユニット１３を組み立てる。保温保冷ユニット１３を側面パネル接続ステー１０で接続して保温保冷箱Ａを形成することができる。【選択図】  図１
2007029396.tif 000002
【特許請求の範囲】
【請求項１】
片面に保温手段を設けた保温用側面パネルと、片面に保冷手段を設けた保冷用側面パネルと、複数の仕切棚ユニットを上下に連ねて形成され、食器を載せたトレーを上下に隣合う仕切棚ユニットの間に差し込むことによって、トレーの一側部と他側部を仕切棚ユニットの両側に張り出させた状態でトレーを支持する仕切棚と、天井面パネルと、床面パネルと、保温手段や保冷手段と反対側の面を背中合わせにして配置された保温用側面パネルと保冷用側面パネルとを、あるいは保温手段と反対側の面を背中合わせにして配置された保温用側面パネル同士を、あるいは保冷手段と反対側の面を背中合わせにして配置された保冷用側面パネル同士を接続するための、側面パネル接続ステーとを備え、保温手段と保冷手段とを対向させて保温用側面パネルと保冷用側面パネルを配置すると共に保温用側面パネルと保冷用側面パネルの間を仕切るように仕切棚を配置し、保温用側面パネルと仕切棚と保冷用側面パネルの上端間に天井面パネルを取り付けると共に保温用側面パネルと仕切棚と保冷用側面パネルの下端間に床面パネルを取り付けることによって、保温用側面パネルと仕切棚との間に保温室を、保冷用側面パネルと仕切棚との間に保冷室をそれぞれ形成して成ることを特徴とする温冷配膳車の保温保冷箱。
【請求項２】
上記の、保温用側面パネルと仕切棚との間に保温室を、保冷用側面パネルと仕切棚との間に保冷室をそれぞれ形成したものを一つの保温保冷ユニットとし、保温用側面パネルと保冷用側面パネル、あるいは保温用側面パネル同士、あるいは保冷用側面パネル同士を背中合わせに配置して複数の保温保冷ユニットを配設すると共に、隣合う保温保冷ユニットの保温用側面パネルと保冷用側面パネル、あるいは保温用側面パネル同士、あるいは保冷用側面パネル同士を側面パネル接続ステーで接続して成ることを特徴とする請求項１に記載の温冷配膳車の保温保冷箱。
【発明の詳細な説明】
【技術分野】
【０００１】
本発明は、病院や学校等で、食器をトレーに載せた状態で給食するために使用される温冷配膳車の保温保冷箱に関するものである。
【背景技術】
【０００２】
例えば病院において各病室の看者に給食する場合、主食や副食、デザート等をそれぞれ盛り付けた食器をトレーの上に並べると共にこのトレーを配膳車内に上下複数段に積んで多数収容し、配膳車を走行させて各病室を回りながら、配膳車からトレーを取り出して患者に配達することによっておこなわれている。このような配膳車として従来から各種のものが提供されているが、最近では保温室と保冷室とを設けた保温保冷箱を、電動で走行する台車の上に取り付けて形成した温冷配膳車が使用されており、トレーの上に並べた食品を保温室で保温したり保冷室で保冷したりすることができるようになっている。
【０００３】
このような温冷配膳車では、トレーの上に並べた食品は保温を必要とするものと保冷を必要とするものとがあるので、保温室と保冷室を隣接して設け、保温を必要とする食器を並べたトレーの一方の側が保温室内に、保冷を必要とする食器を並べたトレーの他方の側が保冷室内に配置されるようにトレーを保温室と保冷室の間に収容するようにしてある（例えば特許文献１、特許文献２等参照）。
【０００４】
図５は、このような保温室１１と保冷室１２を隣接して設けて形成した保温保冷箱Ａを電動の台車２０の上に取り付けて形成した温冷配膳車の一例を示すものである。図の例では、保温保冷箱Ａには温冷配膳車の進行方向において前後二つのユニット２１から形成してあり、各ユニット２１内に仕切棚７を取り付けて前後方向に仕切ることによって、各ユニット２１内に保温室１１と保冷室１２が形成されるようにしてあり、各保温室１１と保冷室１２は両側（図の紙面の表側と裏側）に開口させてあって、各保温室１１と保冷室１２のこの開口は扉２２で開閉自在にしてある。
【０００５】
ここで、特許文献１や特許文献２等で既に知られているものであるが、仕切棚７は図６（ａ）（ｂ）に示すように、支柱２３の両側に上下複数本の横杆２４を突設すると共に各横杆２４に仕切棚ユニット５を取り付けて形成されるものであり、仕切棚ユニット５を上下に複数連ねたものとして仕切棚７を形成するようにしてある。図６（ｂ）において２５は各仕切棚ユニット５の上端部の両側に、保温室１１と保冷室１２の側へ張り出すように取り付けられる棚板、２６は断熱板２７を介して仕切棚ユニット５の側面に取り付けられる側面カバー、２８は端部プレートである。また各仕切棚ユニット５の下端にはシャッタ−板３８が下方へ突出する方向に弾性力を付与して上下動自在に設けてあり、図６（ｂ）のようにシャッター板３８の下端を、下側の仕切棚ユニット５の上端に当接させるようにしてある。従って、上下の仕切棚ユニット５間の気密性はシャッター板３８で保持することができるものであり、複数の仕切棚ユニット５を上下に連ねて形成される仕切棚７で各ユニット２１内を気密的、断熱的に仕切って仕切棚７の両側に保温室１１と保冷室１２を形成することができるものである。そして、上下の仕切棚ユニット５の間に、シャッター板３８を押し上げながらトレー６の中央部を差し込み、トレー６の一側部と他側部を棚板２５の上に載置した状態で、図５に示すように、トレー６の保温を必要とする食品を載せた一側部が保温室１１に、保冷を必要とする食品を載せた他側部が保冷室１２に配置されるようにして、トレー６を保温保冷箱Ａ内に収容することができるものである。
【０００６】
図７は、上記のような保温室１１と保冷室１２を設けて形成される保温保冷箱Ａの組み立て構造の一例を示すものであり、温風ダクト２９を片面に設けた端部側面パネル３０と、冷風ダクト３１を片面に設けた端部側面パネル３２と、温風ダクト２９と冷風ダクト３１を両側の各面に設けた内部側面パネル３３と、天井面パネル３４と、床面パネル３５と、そして上記の仕切棚７を用いて保温保冷箱Ａを組み立てるようにしてある。
【０００７】
すなわち、端部側面パネル３０の温風ダクト２９と内部側面パネル３２の冷風ダクト３１が対向するように、また端部側面パネル３２の冷風ダクト３１と内部側面パネル３３の温風ダクト２９が対向するように、端部側面パネル３０と内部側面パネル３３と端部側面パネル３２を平行に配置し、さらに端部側面パネル３０と内部側面パネル３３の間に仕切棚７を、内部側面パネル３３と端部側面パネル３２の間に仕切棚７をそれぞれ配置する。そして端部側面パネル３０と内部側面パネル３３と端部側面パネル３２の上端間に天井面パネル３４を配置して、天井面パネル３４の下面に設けた接続部３６を端部側面パネル３０と内部側面パネル３３と端部側面パネル３２の上端にそれぞれ取り付けると共に、端部側面パネル３０と内部側面パネル３３と端部側面パネル３２の下端間に床面パネル３５を配置して、床面パネル３５の上面に設けた接続部３７を端部側面パネル３０と内部側面パネル３３と端部側面パネル３２の下端に取り付けることによって、端部側面パネル３０と仕切棚７との間に保温室１１を、仕切棚７と内部側面パネル３３の冷風ダクト３１側の面との間に保冷室１２を形成し、また内部側面パネル３３の温風ダクト２９側の面と仕切棚７との間に温風室１１を、仕切棚７と端部側面パネル３２との間に保冷室１２を形成した、保温保冷箱Ａを組み立てることができるものである。
【０００８】
上記の図７の保温保冷箱Ａは、端部側面パネル３０と内部側面パネル３３の間の保温室１１と保冷室１２でトレー６を収容する一つのユニット２１が形成されるものであり、また内部側面パネル３３と端部側面パネル３２の間の保温室１１と保冷室１２でトレー６を収容する一つのユニット２１が形成されるものであり、保温保冷箱Ａを二つのユニット２１から形成することができるものである。
【０００９】
一方、収容するトレー６の枚数を増やした仕様の保温保冷箱Ａを組み立てる際には、図８に示すように、端部側面パネル３０と端部側面パネル３２の間に２枚の内部側面パネル３３，３３を配置し、そして端部側面パネル３０と２枚の端部側面パネル３３，３３と端部側面パネル３２の上端間に天井面パネル３４を配置して、天井面パネル３４の下面に設けた接続部３６を端部側面パネル３０と内部側面パネル３３，３３と端部側面パネル３２の上端にそれぞれ取り付けると共に、端部側面パネル３０と内部側面パネル３３，３３と端部側面パネル３２の下端間に床面パネル３５を配置して、床面パネル３５の上面に設けた接続部３７を端部側面パネル３０と内部側面パネル３３，３３と端部側面パネル３２の下端に取り付けることによって、行なうことができるものである。
【００１０】
このものでは、端部側面パネル３０と内部側面パネル３３の間の保温室１１と保冷室１２でトレー６を収容する一つのユニット２１が、また一対の内部側面パネル３３，３３間の保温室１１と保冷室１２でトレー６を収容する一つのユニット２１が、内部側面パネル３３と端部側面パネル３２の間の保温室１１と保冷室１２でトレー６を収容する一つのユニット２１が、それぞれ形成されるものであり、保温保冷箱Ａを三つのユニット２１から形成して、トレー６の収容枚数を増やすことができるものである。
【特許文献１】特開２０００−４９５９号公報
【特許文献２】特開２０００−６０６５２号公報
【発明の開示】
【発明が解決しようとする課題】
【００１１】
上記のように、トレー６の収容枚数に応じて、トレー６を収容するユニット２１の数の異なる保温保冷箱Ａを組み立てる必要があるが、上記の図７、図８のものでは、ユニット２１の数が二つのものと、三つものとで異なる長さの天井面パネル３４や床面パネル３５を用いる必要があり、ユニット２１の数に応じた長さの天井面パネル３４や床面パネル３４が必要となって、在庫する部材の種類が増加するという問題があった。また温風ダクト２９を設けた端部側面パネル３０と、冷風ダクト３１を設けた端部側面パネル３２の他に、両面に温風ダクト２９と冷風ダクト３１を設けた内部側面パネル３３も用いる必要があり、側面パネルの種類が三種類必要となって、この点でも部材の種類が増加するという問題があった。
【００１２】
また、このように天井面パネル３４や床面パネル３５は複数のユニット２１に跨る大きさであるために、部材が大型化して組み立て困難になるという問題があり、さらに、天井面パネル３４や床面パネル３５は各ユニット２１間に跨って取り付けられるために、各ユニット２１間の熱伝導がこれらの天井面パネル３４や床面パネル３５を介して起こり易く、保温室１１の昇温効率や保冷室１２の冷却効率が悪くなるという問題もあった。
【００１３】
本発明は上記の点に鑑みてなされたものであり、少ない種類の部材で組み立てを行なうことができてコストを低減することができると共に、天井面パネルや床面パネルを小さくして組み立てが容易になり、さらに保温室の昇温効率や保冷室の冷却効率を高めることができる温冷配膳車の保温保冷箱を提供することを目的とするものである。
【課題を解決するための手段】
【００１４】
本発明の請求項１に係る温冷配膳車の保温保冷箱は、片面に保温手段１を設けた保温用側面パネル２と、片面に保冷手段３を設けた保冷用側面パネル４と、複数の仕切棚ユニット５を上下に連ねて形成され、食器を載せたトレー６を上下に隣合う仕切棚ユニット５の間に差し込むことによって、トレー６の一側部と他側部を仕切棚ユニット５の両側に張り出させた状態でトレー６を支持する仕切棚７と、天井面パネル８と、床面パネル９と、保温手段１や保冷手段３と反対側の面を背中合わせにして配置された保温用側面パネル２と保冷用側面パネル４とを、あるいは保温手段１と反対側の面を背中合わせにして配置された保温用側面パネル２，２同士を、あるいは保冷手段３と反対側の面を背中合わせにして配置された保冷用側面パネル４，４同士を接続するための、側面パネル接続ステー１０とを備え、保温手段１と保冷手段３とを対向させて保温用側面パネル２と保冷用側面パネル４を配置すると共に保温用側面パネル２と保冷用側面パネル４の間を仕切るように仕切棚７を配置し、保温用側面パネル２と仕切棚７と保冷用側面パネル４の上端間に天井面パネル８を取り付けると共に保温用側面パネル２と仕切棚７と保冷用側面パネル４の下端間に床面パネル８を取り付けることによって、保温用側面パネル２と仕切棚７との間に保温室１１を、保冷用側面パネル４と仕切棚７との間に保冷室１２をそれぞれ形成して成ることを特徴とするものである。
【００１５】
また請求項２の発明は、請求項１において、上記の、保温用側面パネル２と仕切棚７との間に保温室１１を、保冷用側面パネル４と仕切棚７との間に保冷室１２をそれぞれ形成したものを一つの保温保冷ユニット１３とし、保温用側面パネル２と保冷用側面パネル４、あるいは保温用側面パネル２，２同士、あるいは保冷用側面パネル４，４同士を背中合わせに配置して複数の保温保冷ユニット１３を配設すると共に、隣合う保温保冷ユニット１３の保温用側面パネル２と保冷用側面パネル４、あるいは保温用側面パネル２，２同士、あるいは保冷用側面パネル４，４同士を側面パネル接続ステー１０で接続して成ることを特徴とするものである。
【発明の効果】
【００１６】
本発明によれば、保温用側面パネル２と、保冷用側面パネル４と、仕切棚７と、天井面パネル８と、床面パネル９とで、保温室１１と保冷室１２を形成した一つの保温保冷ユニット１３を組み立てることができるものであり、保温用側面パネル２と保冷用側面パネル４という２種類だけの側面パネルで組み立てることができ、部材の種類を少なくしてコストを安価にすることが可能になると共に、天井面パネル８や床面パネル９は一つのユニット分の小さな大きさに形成することができ、組み立てが容易になるものである。またこの保温保冷ユニット１３を側面パネル接続ステー１０で接続することによって、任意のユニット数に保温保冷ユニット１３を連結した保温保冷箱を形成することができるものであり、ユニット数に応じた大きさの天井面パネル８や床面パネル９を用いる必要がなく、部材の種類を少なくしてコストを安価にすることが可能になると共に、天井面パネル８や床面パネル９は各保温保冷ユニット１３ごとに独立していて、各保温保冷ユニット１３間での熱伝導を小さくすることができ、保温室１１の昇温効率や保冷室１２の冷却効率を高めることができるものである。
【発明を実施するための最良の形態】
【００１７】
以下、本発明を実施するための最良の形態を説明する。
【００１８】
保温用側面パネル２は金属板やプラスチック板などで形成されるものであり、内部を中空に形成する共に中空部に断熱材を充填することによって断熱性を有するものとして形成してある。この保温用側面パネル２の片面には温風ダクト２９によって形成される保温手段１が設けてある。４１は温風ダクト２９に設けた温風吹き出し用の温風口である。また保温用側面パネル２の保温手段１を設けた側と反対側の面において、両側端部に接続用凹段部４２が形成してある（図４（ａ）参照）。
【００１９】
保冷用側面パネル４は金属板やプラスチック板などで内部を中空に形成されるものであり、中空部に断熱材４０を充填することによって断熱性を有するものとして形成してある。この保冷用側面パネル４の片面には冷風ダクト３１によって形成される保冷手段３が設けてある。４３は冷風ダクト３１に設けた冷風吹き出し用の冷風口である。また保冷用側面パネル４の保冷手段３を設けた側と反対側の面において、両側端部に凹段部を設けて接続部４２が形成してある（図４（ａ）参照）。このように、保温用側面パネル２と保冷用側面パネル４は、温風ダクト２９と冷風ダクト３１以外、同形状、同寸法に形成されるものである。
【００２０】
また天井面パネル８は金属板やプラスチック板などで内部を中空に形成されるものであり、中空部に断熱材を充填することによって断熱性を有するものとして形成してある。天井面パネル８は、後述のように形成される保温室１１と保冷室１２を備えた一つの保温保冷ユニット１３の平面の形状・面積に適合する形状・面積に形成されるものである。天井面パネル８の両端部の下面には保温用側面パネル２や保冷用側面パネル４の上端に結合される結合部４５が下方へ突出して設けてあり、中央部の下面には下面開口の結合凹部４７が凹設してある。
【００２１】
床面パネル９は金属板やプラスチック板などで内部を中空に形成されるものであり、中空部に断熱材を充填することによって断熱性を有するものとして形成してある。床面パネル９は一つの保温保冷ユニット１３の平面の形状・面積に適合する形状・面積に形成されるものである。床面パネル９の両端部の上面には保温用側面パネル２や保冷用側面パネル４の下端に結合される結合部４９が上方へ突出して設けてあり、中央部の上面には上面開口の結合凹部５０が凹設してある。
【００２２】
また仕切棚７は、既述の図６のように、複数の仕切棚ユニット５を上下に連ねたものとして形成されるものである。
【００２３】
さらに側面パネル接続ステー１０は、保温保冷ユニット１３の高さとほぼ同寸法の上下に長い板で形成されるものである。
【００２４】
本発明は、上記の保温用側面パネル２、保冷用側面パネル４、仕切棚７、天井面パネル８、床面パネル９を具備し、さらに必要に応じて側面パネル接続ステー１０を具備し、これらを組み立てることによって、保温保冷ユニット１３を作製し、さらに保温保冷箱Ａを作製することができるものである。
【００２５】
すなわち、まず、保温用側面パネル２の保温手段１と保冷用側面パネル４の保冷手段３とを対向させると共に、この保温用側面パネル２と保冷用側面パネル４の間に仕切棚７を配置する。そして、保温用側面パネル２と仕切棚７と保冷用側面パネル４の下端間に床面パネル９を配置し、床面パネル９の両端の結合部４９を保温用側面パネル４の下端と保温用側面パネル２の下端にそれぞれ結合すると共に、仕切棚７の下端部を結合凹部５０に差し込み係合して結合する。
【００２６】
また、保温用側面パネル２と仕切棚７と保冷用側面パネル４の上端間に跨るように天井面パネル８を配置し、天井面パネル８の両端部の結合部４５を保温用側面パネル２の上端と保冷用側面パネル４の上端にそれぞれ結合すると共に、仕切棚７の上端部を結合凹部４７に差し込み係合して結合する。
【００２７】
天井面パネル８や床面パネル９の結合部４５，４９と、保温用側面パネル２や保冷用側面パネル４の上下の端部との結合は、ボルト止め等の任意の手段で行なうことができるものである。また天井面パネル８や床面パネル９の結合凹部４７，５０と、仕切棚７の上下の端部との結合は、結合凹部４７，５０に仕切棚７の上下の端部をそれぞれ差し込むと共に、図３に示すように、結合凹部４７，５０の箇所において天井面パネル８や床面パネル９に設けた取付孔５２，５３にボルト５４を通し、このボルト５４を仕切棚７の支柱２３の上下の端部にねじ込むことによって、行なうことができるものである。
【００２８】
上記のように、保温用側面パネル２と保冷用側面パネル４の間を仕切るように仕切棚７を配置した状態で、保温用側面パネル２と仕切棚７と保冷用側面パネル４の上端間に天井面パネル８を取り付けると共に保温用側面パネル２と仕切棚７と保冷用側面パネル４の下端間に床面パネル８を取り付けることによって、保温用側面パネル２と仕切棚７との間に保温室１１を形成することができ、また保冷用側面パネル４と仕切棚７との間に保冷室１２を形成することができるものである。保温室１１と保冷室１２の間は仕切棚７で気密的に且つ断熱的に遮断されているものであり、しかも天井面パネル８や床面パネル９の結合凹部４７，５０に仕切棚７の上下の端部を差し込んで結合するようにしてあるために、保温室１１と保冷室１２の間の断熱性をより高く確保することができるものである。そして保温室１１の両側の開口部や、保冷室１２の両側の開口部にそれぞれ扉２２を開閉自在に取り付けることによって、保温室１１と保冷室１２を備えた保温保冷ユニット１３を組み立てることができるものである。
【００２９】
この一つの保温保冷ユニット１３には例えば１２〜２０膳のトレー６を収容することができるものであり、一つの保温保冷ユニット１３で保温保冷箱Ａを形成して、台車２０の上に取り付けることによって、１２〜２０膳収容タイプの温冷配膳車を形成することができるものである。また、収容するトレー６の枚数を増やした仕様に保温保冷箱Ａを形成する場合には、図１のように二つの保温保冷ユニット１３を連結することによって、例えば２４〜４０膳収容タイプの保温保冷箱Ａを形成することができ、図２のように三つの保温保冷ユニット１３を連結することによって、例えば３６〜６０膳収容タイプの保温保冷箱Ａを形成することができるものである。このように複数の保温保冷ユニット１３を連結して形成した保温保冷箱Ａを台車２０の上に取り付けることによって、図５のような温冷配膳車を形成することができるものである。
【００３０】
このように複数の保温保冷ユニット１３を連結するにあたっては、隣合う一方の保温保冷ユニット１３の保冷用側面パネル４と、他方の保温保冷ユニット１３の保温用側面パネル２を背中合わせにして当接させ、図４に示すように、保温用側面パネル２と保冷用側面パネル４の接続用凹段部４２，４２に跨らせて側面パネル接続ステー１０を嵌め込み、側面パネル接続ステー１０に設けた取付孔５９からボルト６０を保温用側面パネル２と保冷用側面パネル４にそれぞれねじ込むことによって、保温保冷ユニット１３を側面パネル接続ステー１０で接続することによって行なうことができるものである。
【００３１】
このように複数の保温保冷ユニット１３を連結することによって、トレー６の収容枚数の異なる複数種の保温保冷箱Ａを形成することができるものであり、そしてこの保温保冷箱Ａを台車２０の上に取り付けることによって、トレー６の収容枚数の異なる複数種の温冷配膳車を形成することができるものである。従って、天井面パネル８や床面パネル９として、一つの保温保冷ユニット１３を形成するものを用いて、トレー６の収容枚数の異なる複数種の保温保冷箱Ａを形成することができるものであり、天井面パネル８や床面パネル９を複数種の保温保冷箱Ａに共用することができ、保温保冷箱Ａを組み立てる部材の種類を少なくすることができるものである。また側面パネルとして保温手段１を設けた保温用側面パネル２と、保冷手段３を設けた保冷用側面パネル４のみを用いて、保温保冷箱Ａを形成することができるものであり、保温保冷箱Ａを組み立てる部材の種類を少なくすることができるものである。このように保温保冷箱Ａの組み立て部材の種類を少なくすることによって、在庫を少なくすることができると共に、コストを低減することが可能になるものである。
【００３２】
また、天井面パネル８や床面パネル９は、一つの保温保冷ユニット１３を形成する大きさのものでよいので、天井面パネル８や床面パネル９を小型化することができ、保温保冷箱Ａの組み立てが容易になるものである。さらに複数の保温保冷ユニット１３を連結して保温保冷箱Ａを形成するにあたって、天井面パネル８や床面パネル９は各保温保冷ユニット１３毎に独立しているので、各保温保冷ユニット１３間において天井面パネル８や床面パネル９を通して熱伝導が生じることを防ぐことができるものであり、熱伝導を小さくして保温室１１の昇温効率や保冷室１２の冷却効率を高めることができるものである。
【００３３】
図１、図２において５６は保冷手段３に接続されるコンデンシングユニットであり、保温保冷箱Ａの天井面パネル８の上に取り付けてある。このコンデンシングユニット５６は重量物であるが、保温保冷箱Ａの天井は保温用側面パネル２と保冷用側面パネル２を背中合わせに重ねた２枚の側面パネルで支持する構造に形成してあるので、コンデンシングユニット５６を支持する強度を保温保冷箱Ａに付与することができるものである。特に図２のものでは３台のコンデンシングユニット５６を積む必要があるが、十分な強度を保温保冷箱Ａに付与することができるものである。また、天井面パネル８の接続部４５や床面パネル９の接続部４９の内側の側面は凹曲面５７に形成してあり、保温室１１や保冷室１２の天井面や床面の角部はアール面となって、清掃が容易になるようにしてある。
【００３４】
尚、上記の図１や図２の実施の形態では、隣合う保温保冷ユニット１３の保冷用側面パネル４と保温用側面パネル２を側面パネル接続ステー１０で接続するようにしており、例えば図１のものでは、左から保温室１１、保冷室１２、保温室１１、保冷室１２の順に配置された保温保冷箱Ａを作製するようにしたが、これのみに限定されるものではない。すなわち、隣合う保温保冷ユニット１３を保温用側面パネル２同士が背中合わせになるように配置して、保温用側面パネル２同士を側面パネル接続ステー１０で接続するようにすれば、図１のものは、保冷室１２、保温室１１、保温室１１、保冷室１２の順に配置した保温保冷箱Ａとして作製することができ、隣合う保温保冷ユニット１３を保冷用側面パネル４同士が背中合わせになるように配置して、保冷用側面パネル４同士を側面パネル接続ステー１０で接続するようにすれば、図１のものは、保温室１１、保冷室１２、保冷室１２、保温室１１の順に配置した保温保冷箱Ａとして作製することができるものである。
【図面の簡単な説明】
【００３５】
【図１】本発明の実施の形態の一例を示す概略図である。
【図２】本発明の実施の形態の他の一例を示す概略図である。
【図３】同上の天井面パネルや床面パネルと仕切棚との結合部の概略拡大図である。
【図４】同上の保温用側面パネルと保冷用側面パネルの接続の構造を示すものであり、（ａ）は概略平面図、（ｂ）は概略拡大図である。
【図５】温冷配膳車の一例を示す正面図である。
【図６】仕切棚の一例を示すものであり、（ａ）は一部の正面図、（ｂ）は一部の分解斜視図である。
【図７】従来の一例を示す概略図である。
【図８】従来の他の一例を示す概略図である。
【符号の説明】
【００３６】
１  保温手段
２  保温用側面パネル
３  保冷手段
４  保冷用側面パネル
５  仕切棚ユニット
６  トレー
７  仕切棚
８  天井面パネル
９  床面パネル
１０  側面パネル接続ステー
１１  保温室
１２  保冷室
１３  保温保冷ユニット
Ａ  保温保冷箱
【図１】
2007029396.tif 000003
【図２】
2007029396.tif 000004
【図３】
2007029396.tif 000005
【図４】
2007029396.tif 000006
【図５】
2007029396.tif 000007
【図６】
2007029396.tif 000008
【図７】
2007029396.tif 000009
【図８】
2007029396.tif 000010